(57)【要約】【課題】支持板を正面略山形に形成することにより押圧具の高さを自由に調節できると共に、押圧具を後向きで見ることなく上下に移動することができる。また、押圧具が左右に移動可能であり、適切なツボに当てることができ、押圧片も円盤・多角形盤等必要に応じて設定すればよく、多目的に使用できる。さらに、支持枠単体を背中に使用することにより正しい姿勢を保つことのできる指圧器を提供する。【解決手段】正面略山形状に形成すると共に、上面に複数の溝を設けてなる支持板を１対設けてなる支持枠と、該支持枠の溝に着脱自在に取り付ける押圧具と、該押圧具を所定の溝に保持する保持具とからなることを特徴とする。【選択図】  図１
2004208996.tif 000002
【特許請求の範囲】
【請求項１】
正面略山形状に形成すると共に、上面に複数の溝を設けてなる支持板を１対設けてなる支持枠と、該支持枠の溝に着脱自在に取り付ける押圧具と、該押圧具を所定の溝に保持する保持具とからなることを特徴とする指圧器。
【請求項２】
押圧具が、支持軸と押圧片より構成され、支持軸を溝に係止して左右移動可能に形成してなることを特徴とする請求項１記載の指圧器。
【請求項３】
支持軸が、丸棒であることを特徴とする請求項２記載の指圧器。
【請求項４】
押圧片が、円盤であることを特徴とする請求項２又は３記載の指圧器。
【請求項５】
押圧片が、多角形盤あるいは花びら形であることを特徴とする請求項２又は３記載の指圧器。
【請求項６】
保持具が、弾性体であることを特徴とする請求項１、２、３又は４記載の指圧器。
【請求項７】
弾性体が、輪ゴムであることを特徴とする請求項６記載の指圧器。
【請求項８】
保持具が、常に押圧具に負荷をかけ、負荷がかかった状態で押圧具を移動可能に形成してなることを特徴とする請求項１、２、３、４、５、６又は７記載の指圧器。
【発明の詳細な説明】
【０００１】
【発明の属する技術分野】
本発明は、主に背部や腰部のツボを適度な押圧力で押圧すると共に、押圧具を所要の位置に変更できる指圧器に関するものである。
【０００２】
【従来の技術】
従来の技術としては、第一支持フレームの前面側に水平に支持された支軸に左右の押圧体を備える頸部押圧用の第一押圧部と、第二支持フレームの前面側に左右の押圧体を上下方向に複数対備える背中押圧用の第二押圧部と、第三支持フレームの前面側に水平に支持された支軸に左右の押圧体を備える腰部押圧用の第三押圧部とよりなる座席取付用の指圧具がある。（特許文献１参照）
また、他の従来の技術として、長手方向に湾曲形成した支持板の裏面側にその長手方向に沿って延びる収納溝をほぼ平行に２本形成し、その収納溝の底面に収納溝より幅狭のガイド孔を収納溝のほぼ全長にわたって形成し、指圧用の押圧部材を前記ガイド孔を貫通するねじと収納溝内に収納される回り止め部とを介してガイド孔に沿って移動可能に前記支持板の表面側に取付けたことを特徴とする背もたれがある。（特許文献２参照）
【０００３】
【特許文献１】
特開平１０−３２８２６７号公報
【特許文献２】
特開２００２−２８０４７号公報
【０００４】
【発明が解決しようとする課題】
上記前者（特許文献１）の場合、第一押圧部、第二押圧部、第三押圧部より構成され、首・背中・腰等を同時に押圧するもので、本発明は部分的に指圧するもので本質的に異なるものである。
また、各押圧体を取り替えるのに、いちいちボルト・ナットを緩めて取り外さなければならず、作業に時間が掛ってしまう。
【０００５】
上記後者（特許文献２）の場合、押圧部材がガイド孔に沿って縦方向に移動するものであるが、横方向には移動できず、使用範囲が限定されてしまうものである。
【０００６】
本発明は、上記の種々の問題点に鑑みなされたもので、その目的は支持板を正面略山形に形成することにより押圧具の高さを自由に調節できると共に、押圧具を後向きで見ることなく上下に移動することができる。
また、押圧具が左右に移動可能であり、適切なツボに当てることができ、押圧片も円盤・多角形盤等必要に応じて設定すればよく、多目的に使用できる。
さらに、支持枠単体を背中に使用することにより正しい姿勢を保つことのできる指圧器を提供するものである。
【０００７】
【課題を解決するための手段】
上記課題を解決するための手段として、正面略山形状に形成すると共に、上面に複数の溝を設けてなる支持板を１対設けてなる支持枠と、該支持枠の溝に着脱自在に取り付ける押圧具と、該押圧具を所定の溝に保持する保持具とからなること。また、押圧具が、支持軸と押圧片より構成され、支持軸を溝に係止して左右移動可能に形成してなること。支持軸が、丸棒であること。さらに、押圧片が、円盤であること。押圧片が、多角形盤あるいは花びら形であること。さらにまた、保持具が、弾性体であること。弾性体が、輪ゴムであること。その上、保持具が、常に押圧具に負荷をかけ、負荷がかかった状態で押圧具を移動可能に形成してなることを特徴とする。
【０００８】
【発明の実施の形態】
１は、指圧器である。
２は、正面略山形状に形成すると共に、上面に４箇所の溝２ａ１を設けてなる支持板２ａ・２ａを軸２ｂ・２ｂにて一定間隔にて支持してなる支持枠である。３は、上記支持枠２の溝２ａ１に着脱自在に取り付ける２つの円盤による押圧片３ａと丸棒による支持軸３ｂとからなる押圧具である。
４は、上記押圧具３を所定の溝２ａ１に保持する保持具で、輪ゴムによる弾性体であり、軸２ｂ・２ｂ間に架設すると共に、支持軸３ｂの上面を押圧すべく取り付けてなるものである。（図１・図２・図３参照）
【０００９】
つぎに、他の実施例を説明する。
押圧具２３は、軸２３ｂに８角形盤による押圧片２３ａを設けてなるものであり、特に角部により局所的に押圧してもよく、面部にて押圧してもよく、目的に応じて使用できるものである。（図４参照）
【００１０】
押圧具３３は、軸３３ｂに花びら形の押圧片３３ａを設けてなるものであり、特に上下方向２点３３ｃを押圧（指圧）するのに有効なものである。（図５参照）
【００１１】
つぎに、使用例について説明する。
椅子Ｅの背もたれＳの内側に指圧器１を置く。
この状態で、使用者Ｎは椅子Ｅに座り、背中Ｎ１を指圧器１の押圧具３３の押圧片３３ａに当て、適宜後に体を移動させることにより所望の箇所（ツボ）を指圧（押圧）できるものである。
【００１２】
なお、必要に応じて押圧具３３を上下移動できるもので、押圧具３３を撮んで、例えば上方に移動させる。
この時、保持具４にて絶えず下方向に押えられているため、外れる（落下等）ことなく、上方に移動し、別の溝２ａ１に押圧具３３の軸３３ｂを係止することができ、この時も、常時保持具４にて軸３３ｂを押えつけているため、外れることはない。
さらに、押圧具３３を左右に移動させることもできる。
さらにまた、押圧具３３を支持枠２より取り外し、支持枠２のみで使用できるもので、正しい姿勢を保つことができ、姿勢の悪い方に有効である。（背骨空間の約４ｃｍにフィットした曲がりを持たせてある）
【００１３】
上記各実施例において、溝の数や押圧具の大きさ・形状等は必要に応じて設定すればよい。
また、材質として特に限定するものではないが、木質が望ましい。
さらに、保持具（輪ゴム）のズレを防止するため、軸にズレ止め溝を設けるのも一考である。
【００１４】
【発明の効果】
１）、押圧具を見ることなく、上下に簡単に移動でき、確実に溝に係止して保持することができ、自分の適切なツボに当てることができる。
２）、押圧具を左右に移動できるため、横方向のツボにも対応できる。
３）、押圧具が支持軸と押圧片により構成されることにより、支持軸（丸棒）をベースとし、押圧片を色々な形状にすることができ、回転して使用もできる。
４）、特に、押圧片を円盤、多角形盤、花びら形等に形成することにより、目的に応じた使用ができる。
５）、保持具を弾性体の輪ゴムとすることにより、手軽に取り替えできると共に、押圧具を適度な圧力にて保持できる。
６）、支持枠を正面略山形状に形成することにより、背中の曲がりにフィットし、単体で使用し、姿勢（背骨）を正しく矯正することができる。
７）、携帯するにもコンパクトであり、会社、自宅、車など何処でも使用可能である。
【図面の簡単な説明】
【図１】本発明の指圧器の正面図。
【図２】本発明の指圧器の平面図。
【図３】本発明の指圧器の側面図。
【図４】本発明の指圧器の他の押圧具の正面図。
【図５】本発明の指圧器の他の押圧具の正面図。
【図６】本発明の指圧器の使用状態図。
【符号の説明】
１−−−指圧器
２−−−支持枠
２ａ−−支持板
２ａ１−溝
２ｂ−−軸
３−−−押圧具
３ａ−−押圧片
３ｂ−−支持軸
【図１】
2004208996.tif 000003
【図２】
2004208996.tif 000004
【図３】
2004208996.tif 000005
【図４】
2004208996.tif 000006
【図５】
2004208996.tif 000007
【図６】
2004208996.tif 000008